(57)【要約】【課題】外部の対向機器とのアンテナ結合特性を強めることができ、広い通信領域の確保を可能にすること。【解決手段】アンテナ１は、筐体３ａに設けられ、電磁誘導により近接通信を行う。金属励振板２ａは、筐体３ａに設けられ、アンテナ１と電気的に接続する。電池５は、筐体３ａ内に装着される。電池蓋４ａは、電池５を固定するために筐体３ａに対して着脱自在に取り付けられる。金属励振板２ｂは、電池蓋４ａに設けられ、電池蓋４ａを筐体３ａに装着した状態において、電池５と金属励振板２ａとを電気的に接続する。【選択図】図１
2011142399.tif 000002
【特許請求の範囲】
【請求項１】
筐体と、
前記筐体に設けられ、電磁誘導により近接通信を行うアンテナと、
前記筐体に設けられ、前記アンテナと電気的に接続するアンテナ金属励振板と、
前記筐体内に装着される電池と、
前記電池を固定するために前記筐体に対して着脱自在に取り付けられる電池蓋と、
前記電池蓋に設けられ、前記電池蓋を前記筐体に装着した状態において、前記電池と前記アンテナ金属励振板とを電気的に接続する電池蓋金属励振板と、
を有する通信端末装置。
【請求項２】
筐体と、
前記筐体に設けられ、電磁誘導により近接通信を行うアンテナと、
前記筐体に設けられ、前記アンテナと電気的に接続する金属励振板と、
前記筐体内に装着される電池と、
前記電池を固定するために前記筐体に対して着脱自在に取り付けられるとともに、導電性を有する材料により形成され、前記筐体に装着した状態において、前記金属励振板と電気的に接続する電池蓋と、
を有する通信端末装置。
【請求項３】
少なくとも一部に導電部を有する筐体と、
前記筐体に設けられ、前記導電部と電気的に接続するとともに電磁誘導により近接通信を行うアンテナと、
前記筐体内に装着される電池と、
前記電池を固定するために、前記筐体に対して着脱自在に取り付けられる電池蓋と、
前記電池蓋に設けられ、前記電池蓋を前記筐体に装着した状態において、前記導電部と前記電池とを電気的に接続する金属励振板と、
を有する通信端末装置。
【発明の詳細な説明】
【技術分野】
【０００１】
本発明は、通信端末装置に関し、特に複数の外部の通信機器との間での電磁誘導を使用した近接通信を行うためのリーダライタ機能とカード機能の両機能を有する通信端末装置に関する。
【背景技術】
【０００２】
近年、通信相手と接触または密着する程度まで近接して通信を行う通信システムの開発要求が高まってきている。具体的には、電界または磁界の作用する、約１．０ｃｍ以下の近接領域において、電界或いは磁界を利用して通信を行う通信システムの開発要求が高まってきている。このような通信システムは、例えば、電話帳などの個人情報のデータが記憶された電子データを携帯電話機へ複写する際に用いられる。また、病院または薬局などでの電子カルテの読取または書込の際に用いられる。また、住民票または戸籍などの電子化された住民台帳データの閲覧または請求などを行う際に用いられる。また、個人の趣味の音楽または画像などの各種データを自己の携帯電話機などへ転送、複写または記憶させる際に用いられる。また、自動販売機などのプリペイド用として金額データを所望の電子機器へ読み取らせる際に用いられる。また、遊園地または駅などでの改札通過用のパスなどに用いられる。
【０００３】
上記より、近接非接触通信を行うときの相手側となる外部の近接非接触通信機器（以下、「外部近接非接触通信機器」と記載する）との間で、近接非接触通信を行うことができる、近接非接触通信機能を備えた携帯通信機器の開発が各種検討されている。外部近接非接触通信機器としてはリーダライタ装置またはカードなどがあり、近接非接触通信機能を備えた携帯通信機器としてはリーダライタ機能とカード機能の両機能に対応することが望ましい。また、このような携帯通信機器は小型及び薄型化の傾向にあり、近接非接触通信機能を実現するための内蔵アンテナの小型化に対する要望は強い。さらに、携帯通信機器の内部は、金属製の部品が複雑に配置される。従って、電磁誘導による近接非接触通信を行う際には、特にアンテナ周囲の金属部に発生する渦電流の影響によりアンテナの誘導電流が低下し、通信領域を縮小させるという課題がある。
【０００４】
このような、課題に対し、特許文献１に示すような周辺の金属を活用し、通信性能を向上させる電磁誘導アンテナが提案されている。図６（ａ）は、特許文献１の電磁誘導アンテナの平面図であり、図６（ｂ）は、特許文献１の電磁誘導アンテナの側面図である。
【０００５】
図６（ａ）及び図６（ｂ）において、電磁誘導アンテナは、アンテナ回路６およびアンテナ回路６に接続される制御部７を有するリーダおよび／またはライタ部と、リーダおよび／またはライタ部の周辺において、アンテナ回路６の周囲を囲繞する囲繞金属部８とを含む。また、囲繞金属部８は、アンテナ回路６の周囲部近傍において、周囲を１回周する閉じた電気回路を形成しないように、切り欠き部Ｇｍを有する。図６（ａ）及び図６（ｂ）の電磁誘導アンテナは、金属部８に発生する渦電流により生ずる逆極性の磁界による影響を、アンテナ回路６において利用することにより、アンテナ結合特性を強める。図６（ａ）及び図６（ｂ）の電磁誘導アンテナは、アンテナ回路６が小さい場合であっても通信領域を確保することが可能である。
【０００６】
また、特許文献２に示すような周辺の金属を活用し、通信性能を向上させる電磁誘導アンテナが提案されている。図７（ａ）は、特許文献２の電磁誘導アンテナの斜視図であり、図７（ｂ）は、特許文献２の電磁誘導アンテナの側面図である。図７（ａ）及び図７（ｂ）において、電磁誘導で通信を行う際に、金属板１０の近傍にアンテナ９を設置することで、金属板１０の周囲に発生する誘導電流を活用してアンテナ結合特性を強めることができる。金属板１０は、導電性の材料により表面が形成された電池などでもよく、金属板１０とアンテナ９とが近接することにより、誘導電流の伝達特性が高い場合には、アンテナ９が小さい場合であっても通信領域を確保することが可能である。
【先行技術文献】
【特許文献】
【０００７】
【特許文献１】特開２００６−８５５５２号公報
【特許文献２】特開２００７−６１２３号公報
【発明の概要】
【発明が解決しようとする課題】
【０００８】
しかしながら、特許文献１においては、電池の着脱を行うための電池蓋が携帯電話端末に設けられており、アンテナの周囲に面積の大きい金属物を設けることが困難であるという問題がある。
【０００９】
また、特許文献２においては、アンテナを金属板の近傍に配置する必要があり、携帯電話端末の構造の自由度の制約から、電池の近傍にアンテナを配置することが困難であるという問題がある。
【００１０】
本発明の目的は、外部の対向機器とのアンテナ結合特性を強めることができ、広い通信領域の確保を可能にすることができる通信端末装置を提供することである。
【課題を解決するための手段】
【００１１】
本発明の通信端末装置は、筐体と、前記筐体に設けられ、電磁誘導により近接通信を行うアンテナと、前記筐体に設けられ、前記アンテナと電気的に接続するアンテナ金属励振板と、前記筐体内に装着される電池と、前記電池を固定するために前記筐体に対して着脱自在に取り付けられる電池蓋と、前記電池蓋に設けられ、前記電池蓋を前記筐体に装着した状態において、前記電池と前記アンテナ金属励振板とを電気的に接続する電池蓋金属励振板と、を有する構成を採る。
【００１２】
また、本発明の通信端末装置は、筐体と、前記筐体に設けられ、電磁誘導により近接通信を行うアンテナと、前記筐体に設けられ、前記アンテナと電気的に接続する金属励振板と、前記筐体内に装着される電池と、前記電池を固定するために前記筐体に対して着脱自在に取り付けられるとともに、導電性を有する材料により形成され、前記筐体に装着した状態において、前記金属励振板と電気的に接続する電池蓋と、を有する構成を採る。
【００１３】
また、本発明の通信端末装置は、少なくとも一部に導電部を有する筐体と、前記筐体に設けられ、前記導電部と電気的に接続するとともに電磁誘導により近接通信を行うアンテナと、前記筐体内に装着される電池と、前記電池を固定するために、前記筐体に対して着脱自在に取り付けられる電池蓋と、前記電池蓋に設けられ、前記電池蓋を前記筐体に装着した状態において、前記導電部と前記電池とを電気的に接続する金属励振板と、を有する構成を採る。
【発明の効果】
【００１４】
本発明によれば、対向機器とのアンテナ結合特性を強めることができ、広い通信領域の確保を可能にすることができる。
【図面の簡単な説明】
【００１５】
【図１】（ａ）は、本発明の実施の形態１に係る電磁誘導アンテナの斜視図、及び（ｂ）は、本発明の実施の形態１に係る通信端末装置の側面図
【図２】（ａ）は、本発明の実施の形態１に係る金属励振板と金属励振板とが接触する箇所を詳細に示す斜視図、及び（ｂ）は、本発明の実施の形態１に係る金属励振板と金属励振板とが接触する箇所を詳細に示す側面図
【図３】（ａ）は、本発明の実施の形態２に係る電磁誘導アンテナの斜視図、及び（ｂ）は、本発明の実施の形態２に係る通信端末装置の側面図
【図４】（ａ）は、本発明の実施の形態３に係る電磁誘導アンテナの斜視図、及び（ｂ）は、本発明の実施の形態３に係る通信端末装置の側面図
【図５】（ａ）は、本発明の実施の形態４に係る電磁誘導アンテナの斜視図、及び（ｂ）は、本発明の実施の形態４に係る通信端末装置の側面図
【図６】（ａ）は、特許文献１の電磁誘導アンテナの平面図、（ｂ）は、特許文献１の電磁誘導アンテナの側面図
【図７】（ａ）は、特許文献２の電磁誘導アンテナの斜視図、（ｂ）は、特許文献２の電磁誘導アンテナの側面図
【発明を実施するための形態】
【００１６】
以下、本発明における実施の形態について、図面を参照しながら詳細に説明する。
【００１７】
（実施の形態１）
図１（ａ）は、本発明の実施の形態１に係る電磁誘導アンテナ１００の斜視図である。また、図１（ｂ）は、本発明の実施の形態１に係る電磁誘導アンテナ１００を収納した通信端末装置１５０の側面図である。
【００１８】
アンテナ１は、ループコイル状のアンテナであり、電磁誘導方式により外部の対向機器との間で近接非接触通信を行う。また、アンテナ１は、筐体３ａの平面上に導電性のパターンとして印刷形成される。また、アンテナ１は、金属励振板２ａと近接または接触して、金属励振板２ａと電気的に接続する。
【００１９】
金属励振板２ａは、金属板であり、アンテナ１の少なくとも一辺に近接してアンテナ１と電気的に接続するとともに、電磁誘導通信を行う際に発生する磁束により励振する。即ち、金属励振板２ａは、外部の対向機器と電磁誘導通信を行う際に、磁束により周囲に流れる誘導電流をアンテナ１に伝達する。これにより、金属励振板２ａは、外部の対向機器との電磁結合特性を強める効果をもたらすことができる。
【００２０】
筐体３ａは、通信端末装置１５０の筐体であり、アンテナ１と金属励振板２ａとが設けられ、プラスチックなどの樹脂製の非導電性の材質により構成される。なお、図１（ａ）及び図１（ｂ）においては、説明の便宜上、筐体３ａの一部のみを記載している。
【００２１】
電池５は、通信端末装置１５０に電源を供給して、通信端末装置１５０を通信機器として動作させる。また、電池５は、導電性を有する材料により形成された外表面部を有し、外表面部により金属励振板２ｂと電気的に接続する。
【００２２】
金属励振板２ｂは、電池蓋４ａに設けられ、電池蓋４ａを筐体３ａに装着した閉じた状態において、金属励振板２ａと接触するとともに、電池５の少なくとも一辺に近接して電池５と電気的に接続する。また、金属励振板２ｂは、電池蓋４ａと一緒に筐体３ａに着脱自在に筐体３ａに設けられる。
【００２３】
電池蓋４ａは、金属励振板２ｂを有し、筐体３ａに対して着脱自在に筐体３ａに取り付けられる。また、電池蓋４ａは、電池５を筐体３ａから着脱する際に、筐体３ａから取り外すことが可能になっている。また、電池蓋４ａは、樹脂などの非導電性の材質で構成される。また、電池蓋４ａは、通信端末装置１５０に装着された際に、金属励振板２ａと金属励振板２ｂとを電気的に接続する。
【００２４】
次に、電磁誘導アンテナ１００の構成について、図２（ａ）及び図２（ｂ）を用いてさらに詳細に説明する。図２（ａ）は、本実施の形態に係る金属励振板２ａと金属励振板２ｂとが接触する箇所を詳細に示す斜視図である。また、図２（ｂ）は、本実施の形態に係る金属励振板２ａと金属励振板２ｂとが接触する箇所を詳細に示す側面図である。
【００２５】
図２（ａ）及び図２（ｂ）より、電池蓋４ａは、金属励振板２ｂが設けられ、通信端末装置１５０に装着された際に、筐体３ａに設置された金属励振板２ａと金属励振板２ｂとが電気的に接続するように、図２（ｂ）において下方に凸形状の凸部２０１を有する。筐体３ａは、電池蓋４ａの凸部２０１に設けられた金属励振板２ｂが金属励振板２ａと接触できるように切り欠き部２０２が設けられ、切り欠き部２０２に金属励振板２ａが設置されて、切り欠き部２０２から電池蓋４ａ側に金属励振板２ａが露出する。したがって、筐体３ａに電池蓋４ａが装着された際に、金属励振板２ａと金属励振板２ｂとは電気的に接続する。
【００２６】
次に、本実施の形態に係る電磁誘導アンテナ１００を使用した通信における電流の流れについて説明する。最初に、通信端末装置１５０がカード機能を有する場合の受信動作について説明する。
【００２７】
電磁誘導アンテナ１００が外部の対向機器に近接することにより、近接した外部の対向機器から送信された信号により、通信端末装置１５０は電磁波として磁束を発生し、アンテナ１と、金属励振板２ａと、金属励振板２ｂと、電池５とにおいて誘導電流を生成する。この際、電池５の誘導電流は電池５の縁を流れる。同様に、金属励振板２ａ及び金属励振板２ｂにおいても誘導電流が縁を流れる。また、金属励振板２ｂと近接する電池５の辺と金属励振板２ｂとが磁界結合して、電池５で生成された誘導電流は金属励振板２ｂに伝達される。金属励振板２ｂと金属励振板２ａとは電気的に接続しているため、金属励振板２ｂの外周と金属励振板２ａの外周とに沿って誘導電流が流れる。また、アンテナ１と近接する金属励振板２ａの辺とアンテナ１とが磁界結合して、金属励振板２ａに流れる誘導電流はアンテナ１に伝達される。アンテナ１は、アンテナ１に伝達された誘導電流と、アンテナ１が近接する外部の対向機器からの磁束により誘起された誘導電流との総和となる受信信号を受信する。そして、通信端末装置１５０の図示しない信号処理回路等は、アンテナ１により受信した受信信号の信号処理を行う。
【００２８】
次に、通信端末装置１５０がリーダライタ機能を有する場合の送信動作について説明する。
【００２９】
通信端末装置１５０において送信信号を生成し、生成した送信信号は、アンテナ１に電流を流して磁束を発生させる。アンテナ１に流れる電流により、金属励振板２ａと電気的に接続する金属励振板２ｂの周囲に誘導電流が発生する。さらに、金属励振板２ｂと近接する電池５の周囲にも同様に誘導電流が発生する。金属励振板２ａと、金属励振板２ｂと、電池５とにおいて発生した誘導電流により、電磁誘導が生じて磁束が生成され、アンテナ１で発生した磁束とともに外部の対向機器に伝達される。
【００３０】
本実施の形態では、金属励振板２ａと金属励振板２ｂと電池５とを使用することにより、面積の小さなアンテナ１において発生する磁束と比較し、広範囲の磁束を発生することができ、外部の対向機器に対して信号の伝達特性を高めることができる。
【００３１】
このように、本実施の形態によれば、金属励振板を着脱可能な電池蓋に設け、電池蓋に設けた金属励振板によりアンテナと電池とを電気的に接続する。これにより、通信端末装置が電磁誘導による近接非接触通信を行う際に、電池を金属励振板として機能させることができるので、金属励振板の面積を広く確保することができるとともに、小さなアンテナであっても広い通信領域を確保することができる。
【００３２】
（実施の形態２）
図３（ａ）は、本実施の形態に係る電磁誘導アンテナ３００の斜視図である。また、図３（ｂ）は、本実施の形態に係る電磁誘導アンテナ３００を収納した通信端末装置３５０の側面図である。
【００３３】
図３（ａ）及び図３（ｂ）に示す電磁誘導アンテナ３００は、図１（ａ）及び図１（ｂ）に示す実施の形態１に係る電磁誘導アンテナ１００に対して、金属励振板２ｂを除き、電池蓋４ａの代わりに金属電池蓋４ｂを有する。なお、図３（ａ）及び図３（ｂ）において、図１（ａ）及び図１（ｂ）と同一構成である部分には同一の符号を付してその説明を省略する。
【００３４】
金属電池蓋４ｂは、アルミまたは鉄などの金属材料により形成される。また、電池蓋４ｂは、上記の実施の形態１の通信端末装置１５０における金属励振板２ｂと電池蓋４ａの双方の機能及び効果を有する。金属電池蓋４ｂは、筐体３ａに装着した際に、金属励振板２ａと接触する。また、金属電池蓋４ｂは、筐体３ａに装着した際において、上記の実施の形態１で説明したように、電磁誘導通信を行う際に誘導電流が周囲に流れ、金属励振板２ａと電気的に接続する。
【００３５】
次に、本実施の形態に係る電磁誘導アンテナ３００を使用した通信における電流の流れについて説明する。最初に、通信端末装置３５０がカード機能を有する場合の受信動作について説明する。
【００３６】
電磁誘導アンテナ３００が外部の対向機器に近接することにより、近接した外部の対向機器から送信された信号により、通信端末装置３５０は電磁波として磁束を発生し、アンテナ１と、金属励振板２ａと、金属電池蓋４ｂとにおいて誘導電流を生成する。この際、金属電池蓋４ｂの誘導電流は金属電池蓋４ｂの縁を流れる。同様に、金属励振板２ａにおいても誘導電流が縁を流れる。また、金属電池蓋４ｂと金属励振板２ａとは、電気的に接続しているため、金属電池蓋４ｂで生成された誘導電流は金属励振板２ａに伝達される。また、アンテナ１と近接する金属励振板２ａの辺とアンテナ１とが磁界結合して、金属励振板２ａに流れる誘導電流はアンテナ１に伝達される。アンテナ１は、アンテナ１に伝達された誘導電流と、アンテナ１が近接する外部の対向機器からの磁束により誘起された誘導電流との総和となる受信信号を受信する。そして、通信端末装置３５０の図示しない信号処理回路等は、アンテナ１により受信した受信信号の信号処理を行う。
【００３７】
次に、通信端末装置３５０がリーダライタ機能を有する場合の送信動作について説明する。
【００３８】
通信端末装置３５０において送信信号を生成し、生成した送信信号は、アンテナ１に電流を流して磁束を発生させる。アンテナ１に流れる電流により、金属励振板２ａと電気的に接続する金属電池蓋４ｂに誘導電流が発生する。金属励振板２ａと金属電池蓋４ｂとにおいて発生した誘導電流により、電磁誘導が生じて磁束が生成され、アンテナ１で発生した磁束とともに外部の対向機器に伝達される。
【００３９】
このように、本実施の形態によれば、上記の実施の形態１の効果に加えて、大きな面積を有する電池蓋を金属励振板として用いるので、広い通信領域を確保することが可能である。また、本実施の形態によれば、別部品となる金属励振板を不要にすることができるので、製造コストを低減することができる。また、本実施の形態によれば、樹脂製に比べ強い強度を有する金属製で電池蓋を構成するので、通信端末装置を薄型化することができる。
【００４０】
（実施の形態３）
図４（ａ）は、本実施の形態に係る電磁誘導アンテナ４００の斜視図である。また、図４（ｂ）は、本実施の形態に係る電磁誘導アンテナ４００を収納した通信端末装置４５０の側面図である。
【００４１】
図４（ａ）及び図４（ｂ）に示す電磁誘導アンテナ４００は、図１（ａ）及び図１（ｂ）に示す実施の形態１に係る電磁誘導アンテナ１００に対して、金属励振板２ａの代わりに金属励振板２ｃを有し、筐体３ａの代わりに筐体３ｂを有する。なお、図４（ａ）及び図４（ｂ）において、図１（ａ）及び図１（ｂ）と同一構成である部分には同一の符号を付してその説明を省略する。
【００４２】
筐体３ｂは、通信端末装置４５０の筐体であり、アンテナ１が設けられ、プラスチックなどの樹脂製の非導電性の材料により形成される。また、筐体３ｂは、アンテナ１の周囲に配置される金属励振板２ｃを有する。なお、図４（ａ）及び図４（ｂ）においては、説明の便宜上、筐体３ｂの一部のみを記載している。
【００４３】
金属励振板２ｃは、筐体３ｂと一体または別体で筐体３ｂに設けられる。また、金属励振板２ｃは、アンテナ１と近接して配置されてアンテナ１と電気的に接続する。また、金属励振板２ｃは、電池蓋４ａを筐体３ｂに装着した状態において、金属励振板２ｂと電気的に接続する。
【００４４】
金属励振板２ｂは、電池蓋４ｂに設けられ、電池蓋４ｂを筐体３ａに装着した閉じた状態において、金属励振板２ｃと電気的に接続するとともに、電池５の少なくとも一辺に近接して電池５と電気的に接続する。
【００４５】
次に、本実施の形態に係る電磁誘導アンテナ４００を使用した通信における電流の流れについて説明する。最初に、通信端末装置４５０がカード機能を有する場合の受信動作について説明する。
【００４６】
電磁誘導アンテナ４００が外部の対向機器に近接することにより、近接した外部の対向機器から送信された信号により、通信端末装置４５０は電磁波として磁束を発生し、アンテナ１と、金属励振板２ｃと、金属励振板２ｂと、電池５とにおいて誘導電流を生成する。この際、電池５の誘導電流は電池５の縁を流れる。同様に、金属励振板２ｂ及び金属励振板２ｃにおいても誘導電流が縁を流れる。また、金属励振板２ｂと近接する電池５の辺と金属励振板２ｂとが磁界結合して、電池５で生成された誘導電流は金属励振板２ｂに伝達される。金属励振板２ｂと金属励振板２ｃとは電気的に接続しているため、金属励振板２ｂの外周と金属励振板２ｃの外周とに沿って誘導電流が流れる。また、アンテナ１と近接する金属励振板２ｃの辺とアンテナ１とが磁界結合して、金属励振板２ｃに流れる誘導電流はアンテナ１に伝達される。アンテナ１は、アンテナ１に伝達された誘導電流と、アンテナ１が近接する外部の対向機器からの磁束により誘起された誘導電流との総和となる受信信号を受信する。そして、通信端末装置４５０の図示しない信号処理回路等は、アンテナ１により受信した受信信号の信号処理を行う。
【００４７】
次に、通信端末装置４５０がリーダライタ機能を有する場合の送信動作について説明する。
【００４８】
通信端末装置４５０において送信信号を生成し、生成した送信信号は、アンテナ１に電流を流して磁束を発生させる。アンテナ１に流れる電流により、金属励振板２ｃと接触する金属励振板２ｂの周囲に誘導電流が発生する。さらに、金属励振板２ｂと近接する電池５の周囲にも同様に誘導電流が発生する。金属励振板２ｃと、金属励振板２ｂと、電池５とにおいて発生した誘導電流により、電磁誘導が生じて磁束が生成され、アンテナ１で発生した磁束とともに外部の対向機器に伝達される。
【００４９】
本実施の形態では、上記の実施の形態１及び実施の形態２において、樹脂により形成されていた筐体３ａを、強度の強い金属により筐体３ｂを形成することを特徴とする。筐体３ｂは、樹脂により形成する場合に比べて、薄型化することが可能である。
【００５０】
このように、本実施の形態によれば、金属励振板を着脱可能な電池蓋に設けるとともに、金属励振板を筐体に設けることにより、電池蓋及び筐体に設けた金属励振板によりアンテナと電池とを電気的に接続する。これにより、通信端末装置が電磁誘導による近接非接触通信を行う際に、電池を金属励振板として機能させることができるので、金属励振板の面積を広く確保することができるとともに、小さなアンテナであっても広い通信領域を確保することができる。
【００５１】
なお、筐体３ｂは、周囲に配置される他の構成機器（無線用のアンテナなどの金属物の影響を受けるもの）が配置されない場合は、金属励振板２ｃと同一の導電性の金属材料により形成してもよい。この場合、筐体３ｂは、アンテナ１の周囲で１回周する閉じた電気回路を形成しないように、切り欠き部を形成する必要がある。
【００５２】
（実施の形態４）
図５（ａ）は、本発明の実施の形態４に係る電磁誘導アンテナ５００の斜視図である。また、図５（ｂ）は、本発明の実施の形態４に係る電磁誘導アンテナ５００を収納した通信端末装置５５０の側面図である。
【００５３】
アンテナ１は、逆Ｌ字形状であり、電磁誘導方式により外部の対向機器との間で近接非接触通信を行う。また、アンテナ１は、筐体３ｂの平面上に導電性のパターンとして印刷形成される。また、アンテナ１は、ループコイル状のアンテナである。また、アンテナ１は、金属励振板２ｃと近接または接触して、金属励振板２ｃと電気的に接続する。
【００５４】
金属励振板２ｃは、筐体３ｂと一体または別体で筐体３ｂに設けられる。また、金属励振板２ｃは、アンテナ１と近接または接触して配置される。また、金属励振板２ｃは、金属電池蓋４ｂを筐体３ｂに装着した状態において、金属電池蓋４ｂと電気的に接続する。また、金属励振板２ｃは、電磁誘導通信を行う際に発生する磁束により励振する。即ち、金属励振板２ｃは、外部の対向機器と電磁誘導通信を行う際に、磁束により周囲に流れる誘導電流をアンテナ１に伝達する。これにより、金属励振板２ｃは、外部の対向機器との電磁結合特性を強める効果をもたらすことができる。
【００５５】
筐体３ｂは、通信端末装置５５０の筐体であり、アンテナ１が設けられ、プラスチックなどの樹脂製の非導電性の材質により構成される。また、筐体３ｂは、アンテナ１の周囲に配置される金属励振板２ｃを有する。なお、図５（ａ）及び図５（ｂ）においては、説明の便宜上、筐体３ｂの一部のみを記載している。
【００５６】
電池５は、通信端末装置５５０に電源を供給して、通信端末装置５５０を通信機器として動作させる。
【００５７】
金属電池蓋４ｂは、アルミまたは鉄などの金属により形成される。また、電池蓋４ｂは、上記の実施の形態１の通信端末装置１５０における金属励振板２ｂと電池蓋４ａの双方の機能及び効果を有する。金属電池蓋４ｂは、筐体３ｂに装着した際に、金属励振板２ｃと接触または近接することにより、金属励振板２ｃと電気的に接続する。また、金属電池蓋４ｂは、筐体３ｂに装着した際において、上記の実施の形態１で説明したように、電磁誘導通信を行う際に誘導電流が周囲に流れ、金属励振板２ｃと電気的に接続する。
【００５８】
次に、本実施の形態に係る電磁誘導アンテナ５００を使用した通信における電流の流れについて説明する。最初に、通信端末装置５５０がカード機能を有する場合の受信動作について説明する。
【００５９】
電磁誘導アンテナ５００が外部の対向機器に近接することにより、近接した外部の対向機器から送信された信号により、通信端末装置５５０は電磁波として磁束を発生し、アンテナ１と、金属励振板２ｃと、金属電池蓋４ｂとにおいて誘導電流を生成する。この際、金属電池蓋４ｂの誘導電流は金属電池蓋４ｂの縁を流れる。また、金属電池蓋４ｂと金属励振板２ｃとは、電気的に接続しているため、金属電池蓋４ｂで生成された誘導電流は金属励振板２ｃに伝達される。また、アンテナ１と近接する金属励振板２ｃの辺とアンテナ１とが磁界結合して、金属励振板２ｃに流れる誘導電流はアンテナ１に伝達される。アンテナ１は、アンテナ１に伝達された誘導電流と、アンテナ１が近接する外部の対向機器からの磁束により誘起された誘導電流との総和となる受信信号を受信する。そして、通信端末装置５５０の図示しない信号処理回路等は、アンテナ１により受信した受信信号の信号処理を行う。
【００６０】
次に、通信端末装置５５０がリーダライタ機能を有する場合の送信動作について説明する。
【００６１】
通信端末装置５５０において送信信号を生成し、生成した送信信号は、アンテナ１に電流を流して磁束を発生させる。アンテナ１に流れる電流により、金属励振板２ｃと電気的に接続する金属電池蓋４ｂに誘導電流が発生する。金属励振板２ｃと金属電池蓋４ｂとにおいて発生した誘導電流により、電磁誘導が生じて磁束が生成され、アンテナ１で発生した磁束とともに外部の対向機器に伝達される。
【００６２】
このように、本実施の形態によれば、筐体に設けた金属励振板を介して、金属電池蓋とアンテナとを電気的に接続する。これにより、通信端末装置が電磁誘導による近接非接触通信を行う際に、金属電池蓋を金属励振板として機能させることができるので、金属励振板の面積を広く確保することができるとともに、小さなアンテナであっても広い通信領域を確保することができる。また、本実施の形態によれば、大きな面積を有する電池蓋を金属励振板として用いるので、広い通信領域を確保することが可能である。また、本実施の形態によれば、別部品となる金属励振板を不要にすることができるので、製造コストを低減することができる。また、本実施の形態によれば、樹脂製に比べ強い強度を有する金属製で電池蓋を構成するので、通信端末装置を薄型化することができる。
【００６３】
なお、上記の実施の形態１〜実施の形態４において、上述した実施の形態に何ら限定されるものではなく、その要旨を逸脱しない範囲において種々の形態で実施し得るものである。
【産業上の利用可能性】
【００６４】
本発明にかかる通信端末装置は、特に複数の外部近接非接触通信機器との間での電磁誘導を使用した近接非接触通信を行うためのリーダライタ機能、カード機能の両機能を有するのに好適である。
【符号の説明】
【００６５】
１  アンテナ
２ａ、２ｂ、２ｃ  金属励振板
３ａ，３ｂ  筐体
４ａ、４ｂ  電池蓋
５  電池
【図１】
2011142399.tif 000003
【図２】
2011142399.tif 000004
【図３】
2011142399.tif 000005
【図４】
2011142399.tif 000006
【図５】
2011142399.tif 000007
【図６】
2011142399.tif 000008
【図７】
2011142399.tif 000009